(57)【特許請求の範囲】
【請求項１】
建物に固定されるボックス１内に間隔をあけて取付ネジ３，３１  により着脱自在に固着した取付枠２，２１  を介して電気機器Ａに接続される電源接続部Ｃと、通信用端末機器Ｂに接続される通信線接続部Ｄとを併設形成して配線接続用具２０とした配線用器具において、
前記電源接続部Ｃは前記取付枠２に間隔をあけて複数形成した係合部９にブランクパネル８を着脱自在に備えると共に、少なくとも一つのコンセントを含む電源用コンセント４を配備したものであり、また前記通信線接続部Ｄは取付枠２１  に仕切板１７で分離配列した複数のアダプタ５，５を備え、かつ前記取付枠２１  の側面にケーブル把持具２１を設け、また背面側に通信線の配線余長を巻回状態で収容保持しうる余長収納ケース６を前記取付枠２１  に突設した係止片２２に差し込み嵌入して着脱自在に備えて通信線用コンセント７に構成したことを特徴とする配線用器具。
【請求項２】
前記取付枠２，２１  にプレート装着枠１１を取付ネジ１２により着脱自在に設け、該プレート装着枠１２に前記電源接続部Ｃと通信線接続部Ｄとを露出しうる窓孔１３，１３１  のある化粧プレート１４を係脱自在に嵌装して備えたこと特徴とする請求項１記載の配線用器具。
【発明の詳細な説明】
【０００１】
【発明の属する技術分野】
本発明は、事務所、工場、一般住宅の家屋、その他の建物などの屋内外に配線される電気配線の端末に電気機器並びに、情報通信などの通信回線での光通信用の端末機器を着脱自在に接続することができる配線用器具に関するものである。
【０００２】
【従来の技術】
一般に建造物に施行される電気工事で必要な配線用器具では、電気配線接続用具として、スイッチなどの配線用遮断器や配線端末の接続用のコンセントなどが用いられている。  また、通信回線の光通信用の端末機器を接続するための接続用具も光信号損失などが検討され配線系統に種々のタイプのものが用いられている。（特開平９−１２７３６９号公報）
【０００３】
【発明が解決しようとする課題】
従来では、電気配線工事と通信回線工事との配線工事が別個に行われることが多く、各端末機器類の電源接続と通信線の接続とがまちまちに行われることになっていて、配線工事がやっかいであるほか、工事工数も多くなり、取付け配線工事にもバラツキが生じやすいし、端末機器の取扱い、使用にも不便があり、屋内の体裁上にも問題があった。
本発明では、これら従来の諸欠点を排除しようとするもので、端末機器の電源の接続と通信回路の接続とを同一の配線用器具で行うことにより、電気配線と通信配線での端末利用の併用が可能で、簡単な操作で通信回路を利用する各種端末機器を信号伝送特性を十分維持できる状態で、簡単に着脱自在に接続使用することができ、端末の取扱い並びに配線工事の安全簡便化をはかり、電気配線工事と通信回路工事とを同時に行えるように対応でき配線工事での作業内容も容易で、多用途への取付け変換も均一にできて信頼性を高めることができる配線用器具を構成簡単で製造コストも安価な形態で提供しようとすることを目的とするものである。
【０００４】
【課題を解決するための手段】
本発明は、建物に固定されるボックス内に配線接続機器が取付枠を介して備えられ、該配線接続機器に電気機器に接続される電源接続部と、通信用端末機器に接続される通信線接続部とを併設したものからなり、前記電源接続部が前記取付枠に複数形成した係合部にブランクパネルを着脱自在に備え、少なくとも一つのンセントを含む電源用コンセントであり、また前記通信線接続部は複数のアダプタと、通信線の配線余長を巻回状態で収容保持しうる余長収納ケースとを備えた通信線用コンセントとから構成したものである。
【０００５】
また、本発明では、前記電源接続部の取付枠に複数形成した係合部にブランクパネルを着脱自在に備え、該係合部を選んでブランクパネルに代えて、電源用コンセント本体或いはスイッチ本体を着脱自在に配備すると共に、前記通信線接続部の取付枠には光ファイバケーブルの末端に接続されるプラグ或いはレセプタクルを備えたＳＣ型またはＭＴ型コネクタの接続部材を挿脱自在に連結しうるアダプタを仕切板で分離配列して複数並列配備し、かつ前記取付枠２１  の側面にケーブル把持具２１を設け、また背面側に通信線の配線余長を巻回状態で収容保持しうる余長収納ケースを前記取付枠に突設した係止片に差し込み嵌入して着脱自在に備えて通信線用コンセントに構成したことを特徴としていて、通信線接続部でのアダプタの挿脱が安定して行なえ配線把持も確実で、配線接続作業の操作をも安全でスムーズに行えてその配線取扱いを容易にし、各種端末機器の通信回線の施工性を向上し、さらに汎用性に富んだ形態にすることもできるほか、余長収納ケースを前記取付枠に簡単に着脱できロックすることもできるため、信号伝送特性を損なわないで心線余長の収納維持ができて配線工事での信頼性も大幅に高めることができる。
【０００６】
さらに、本発明では、ボックスに固着した前記取付枠にプレート装着枠を取付ネジにより着脱自在に設け、該プレート装着枠に前記電源接続部と通信線接続部とを露出しうる窓孔のある化粧プレートを係脱自在に嵌装して備えて、体裁良好で各種接続部との互換性並びに保守点検、組立作業が簡便に行える。
【０００７】
また、本発明は、前記電源接続部が複数の電源用コンセントとからなり、かつ前記通信線接続部が差込口に開閉自在のシャッタを有する通信線接続用コンセントを複数併設して備えられていたり、或いは前記通信線接続部が、複数のアダプタを備え、かつ通信線の配線余長を巻回状態で収容保持しうる余長収納ケースを備えた通信線用コンセントと、差込口に開閉自在のシャッタを有する通信線用コンセントとからなる併用タイプとすることもできて、端末機器への多用性に容易に対応することができ配線工事作業も著しく簡単に行うことができる。
【０００８】
【発明の実施の形態】
この発明に係る配線用器具の実施例を図１乃至図６の例を用いて説明すると、建物に固定されるボックス１内に取付枠２，２１  を介して配線接続機器が備えられる。この配線接続機器は電気機器Ａに接続される電源接続部Ｃと、通信用端末機器Ｂに接続される通信線接続部Ｄとを併設形成して配線接続用具２０とする。前記電源接続部Ｃと通信線接続部Ｄとを係脱自在に嵌着した取付枠２，２１  は間隔をあけて取付ネジ３，３１  によりそれぞれボックス１に着脱自在に固着すると共に、前記電源接続部Ｃは少なくとも一つのコンセントを含む電源用コンセント４として、また前記通信線接続部Ｄは着脱自在の仕切板１７で分離配列した複数のアダプタ５と、通信線の配線余長を巻回状態で収容保持しうる余長収納ケース６とを備えた通信用コンセント７としてある。
【０００９】
この場合、前記電源接続部Ｃは、図１に示すように前記取付枠２に複数形成した凹凸部片の係合部９にブランクパネル８を着脱自在に備えるが、前記電源用コンセント４を配備しないブランク部分にはこれを覆う形態で、ブランクパネル８を嵌着配列して外観上の体裁を良好にしたり、必要に応じ選ばれたブランクパネル８を取り除いた位置に、さらに電源用コンセント４を連設したり、スイッチ部或いはその他の配線器具を組み込み併用することができる。
なお、前記係合部９は合成樹脂製の取付枠２の両側壁に貫通孔を間隔をあけて設け、この貫通孔に電源用コンセント本体側面或いはブランクパネル側面に突出した爪片などの係合部を嵌入することで係合組立がワンタッチでできるようにする。
【００１０】
また、前記通信線接続部Ｄとしては、図２に示すように金属製の取付枠２１  に光ファイバケーブルＥの末端に接続されるプラグ或いはレセプタクルからなるＳＣ型またはＭＴ型のコネクタ１０を嵌装したアダプタ５を複数並列して備え、かつ、前記取付枠２１  の側面にケーブル把持具２１を設け、また背面側に図３及び図４に示す余長収納ケース６が嵌着固定され、光ケーブルの余長部分が所定の曲率を持った状態で収容されて通信端末機器Ｂと通信回線とを簡単で信号伝送特性を損なわないように接続することができるようにしてある。
【００１１】
そして、前記ボックス１としては、壁面に埋込みタイプに構成され、ケーブル挿通孔を適宜形成されていてボックス前面には、前記電源接続部Ｃと通信線接続部Ｄとがそれぞれの取付枠２，２１  で併設されるが、この取付枠２，２１  に、プレート装着枠１１を取付ネジ１２により着脱自在に設け、該プレート装着枠１１に前記電源接続部Ｃと通信線接続部Ｄとを露出しうる窓孔１３，１３１  のある化粧プレート１４を係脱自在に嵌装して備え、外観上の体裁を良好にして保安点検等を含む配線作業が容易にできるようにしてある。（図３乃至図６）
【００１２】
この場合、前記余長収納ケース６としては、図４に示すように光ケーブルが収納されたときに、ケース内面に接して曲率を大きくするようにし、円筒形ガイド６１  と係止片６２  とを設けてあり、前記取付枠２１  に嵌着する嵌着溝６３  を備えた樹脂ケースを用いてあり、該余長収納ケース６の嵌着溝６３  を取付枠２１  に突設した係止片２２に差し込み嵌入してケース６を水平にスライドすればロックされるし、着脱自在に取付けられるようにしてある。
また、前記化粧プレート１４は、その裏面に突設した突起爪１５を前記プレート装着枠１１の係合孔１６に係脱自在に嵌装して建物の壁面の美観を損なわないようにするのがよい。（図５及び図６）
【００１３】
図７及び図８での本発明の他の実施例では、配線用器具３０として前記電源接続部Ｃが複数の電源用コンセント４，４とからなり、必要に応じスイッチ部１８を連設し、かつ前記通信線接続部Ｄを２連タイプとしたもので差込口に開閉自在のシャッタ１９１  を有する通信線接続用コンセント１９、例えばインターネットなどの情報通信用、ケーブルテレビ用、電話回線用のコンセントを取付枠２２  に数併設して備えられているものと、取付枠２１  に複数のアダプタ５，５を備え、かつ通信線の配線余長を巻回状態で収容保持しうる余長収納ケースを備えた通信用コンセント７とを併設してある。
【００１４】
この場合、前記通信線接続部Ｄを図９に示すように、アダプタ５を有する通信コンセント７を２連型またはそれ以上の複数連のコンセントにした形態とすることもできるし、前記通信線接続用コンセント１９のタイプを２連型として組込み併設することも選んでできる。
なお、これら組込みには前記取付枠２，２１  ，２２  の係合部９に配線用の各種コンセントなどの配線した規格部品を嵌め込んで、該取付枠２，２１  ，２２  を介して取付ネジ３，３１  によりボックス１に適宜配設するのがよく、使用しない部位にはブランクパネル８を嵌め込んで空所を隠閉し必要に応じて増設する際のコンセント部の部分として活用するのがよい。
【００１５】
また、前記通信線接続部Ｄの接続には、通信端末機器Ｂの光ファイバケーブル標準形式に適合するＳＣ形光ファイバコネクタ若しくはＭＴ形光ファイバコネクタのアダプタまたはレセプタクルを用いるが、建物に固定されるボックス１の側壁を貫通して導入されるケーブルが配線用器具２０の通信線接続部Ｄに接続され、さらに通信線接続部Ｄにより、端末機器Ｂに着脱自在に接続され、これにより光ファイバケーブルを用いて利用される各種端末と通信回線とを簡単に接続して用いることができ、電気工事と同様に光通信配線工事をも行える。
【００１６】
図１０乃至図１３における実施例では、化粧プレート１４で被覆されるボックス１内に納められる配線用器具４０において、その通信接続部Ｄとしては化粧カバー４１に着脱自在に設けたアダプタ保護カバー４２と、該アダプタ保護カバー４２を係止できる取付カバー４３とが備えられ、この取付カバー４３を固定する取付枠４４にアダプタ取付金具４９を介して、アダプタ４５を装着すると共に、ケーブル把持具５０をネジ６０で取付枠４４に設け、さらに余長収納ケース４６の係止孔４７に取付枠４４の鉤状の引掛け係止片４８が挿入され、スライドすることで係止片４８との隙間に余長収納ケース４６の板厚部分を差し込んでロックできて余長収納ケース４６が固定されたものからなり、該通信接続部Ｄに並設して電源用コンセント４を含む電源接続部Ｃが設けられている。
【００１７】
この場合、各部材の結合には係止孔或いは隙間と係止片とが相対して設けられて、着脱自在に装着できるようにするのがよい。
即ち、絶縁取付枠６３の角穴に取付枠４４の係止片５４を挿入して、両者を固定し、またアダプタ取付金具４９の係止孔５６を取付枠４４の係止片５５に挿入して両者を固定し、アダプタ取付金具４９にアダプタ４５をネジ止めすればＭＴ−ＲＪ型とＳＣ型のコネクタレセクタプルの装着が可能となる。なお、アダプタ保護カバー４２は、化粧カバー４１に嵌め込んで固定するが、このアダプタ保護カバー４２のケーブル導入部はバンチアウト方式にしてある。
【００１８】
なお、前記余長収納ケース４６は図１３に示すように、円筒形ガイド６１を複数備え、ケーブル押えの係止片６２を適宜突設してある。
図中符号５１，５２，５４，５５は係止片、５３，５６，５７は係止孔で各部材に適宜設けられる。
【００１９】
【発明の効果】
本発明は、建物に固定されるボックス内に間隔をあけて取付ネジにより着脱自在に固着した取付枠を介して電気機器に接続される電源接続部と、通信用端末機器に接続される通信線接続部とを併設形成して配線接続用具とした配線用器具において、前記電源接続部は前記取付枠に間隔をあけて複数形成した係合部にブランクパネルを着脱自在に備えると共に、少なくとも一つのコンセントを含む電源用コンセントを配備したものであり、また前記通信線接続部は取付枠に仕切板で分離配列した複数のアダプタを備え、かつ前記取付枠の側面にケーブル把持具を設け、また背面側に通信線の配線余長を巻回状態で収容保持しうる余長収納ケースを前記取付枠に突設した係止片に差し込み嵌入して着脱自在に備えて通信線用コンセントに構成したことにより、通信線接続部でのアダプタの挿脱操作も安定して行え配線把持も確実で配線接続作業の操作をも安全でスムーズにできてその配線取扱いを容易にし、各種端末機器の通信回線の施工性を向上し、さらに汎用性に富んだ形態にすることもできるほか、余長収納ケースを前記取付枠に簡単に着脱できロックすることもできるため、信号伝送特性を損なわないで心線余長の収納維持ができて配線工事での信頼性も大幅に高めることができる。
しかも本発明では、電気配線と通信配線での端末利用の併設が可能で、電気配線工事と同様に光ファイバケーブルを用いて利用される各種端末と通信回線とを接続して用いられる光通信配線工事をも簡単に行え、簡単な操作で通信回路を利用する各種端末機器を着脱自在に接続でき、その信号伝送特性をも十分維持できる状態で使用することができ、通信線接続部での端末の取扱並びに配線工事の安全簡易化をはかり、電気配線と通信配との同時配線工事での対応や作業内容も容易で、体裁も良好で各種接続部との互換性並びに保守点検、組立作業が簡便に行えるし、多用途への取付け変換も均一にできて信頼性を高めることができる配線用器具を構成簡単で製造コストも安価な形態で提供できる。
【図面の簡単な説明】
【図１】  本発明の実施例を示す配線用器具の化粧プレートを取り除いて内部を表す全体正面図である。
【図２】  図１の通信線接続部を示し、（ａ）はその正面図、（ｂ）は縦断面図である。
【図３】      図２の例において化粧プレートを除いて内部を示し、（ａ）はその正面図、（ｂ）はその側面図である。
【図４】  図１の例に用いられるケーブル余長収納ケースを示し、（ａ）はその正面図、（ｂ）はａ−ａ線における縦断面図である。
【図５】  図１の例の外観表面を表す正面図である。
【図６】  図１の例で用いられるプレート装着枠を示し、（ａ）はその正面図、（ｂ）はｂ−ｂ線における縦断面図である。
【図７】  本発明の配線用器具の他の実施例を示し、内部を表す全体正面図である。
【図８】  図７の例で用いられる通信線接続部を示し、（ａ）はその正面図、（ｂ）はその側面図である。
【図９】  本発明での通信線接続部の他の例で化粧プレートを取り除いて内部を表し、（ａ）はその正面図、（ｂ）は縦断面図である。
【図１０】  本発明での配線用器具のさらに他の例で化粧プレートを取り除いて内部を表した全体正面図である。
【図１１】  図１０の例に用いられる通信接続部の分離状態の斜視図である。
【図１２】  図１０の例に用いられるアダプタ取付部を示し、（ａ）はその平面図、（ｂ）はその側面図、（ｃ）はその正面図である。
【図１３】  図１０の例に用いられるケーブル余長収納ケースを示し、（ａ）はその平面図、（ｂ）はその背面図、（ｃ）はその側面図、（ｄ）はそのｂ−ｂ線における縦断面図である。
【符号の説明】
Ａ    電気機器
Ｂ    通信端末機器
Ｃ    電源接続部
Ｄ    通信線接続部
Ｅ    光ファイバケーブル
１    ボックス
２，２１    ，２２      取付枠
３    取付ネジ
３１    取付ネジ
４    電源用コンセント
５    アダプタ
６    余長収納ケース
６１    円筒形ガイド
６２    係止片
６３    嵌着溝
７    通信用コンセント
８    ブランクパネル
９    係合部
１０    コネクタ
１１    プレート装着枠
１２    取付ネジ
１３，１３１      窓孔
１４    化粧プレート
１５    突起爪
１６    係合孔
１７    仕切板
１８    スイッチ部
１９    通信線接続用コンセント
１９１      シャッタ
２０，３０，４０      配線用器具
４１    化粧カバー
４２    アダプタ保護カバー
４３    取付カバー
４４    取付枠
４５    アダプタ
４６    余長収納ケース
５０    ケーブル把持具
【図１】
0004140815.tif 000002
【図２】
0004140815.tif 000003
【図３】
0004140815.tif 000004
【図４】
0004140815.tif 000005
【図５】
0004140815.tif 000006
【図６】
0004140815.tif 000007
【図７】
0004140815.tif 000008
【図８】
0004140815.tif 000009
【図９】
0004140815.tif 000010
【図１０】
0004140815.tif 000011
【図１１】
0004140815.tif 000012
【図１２】
0004140815.tif 000013
【図１３】
0004140815.tif 000014